(57)【要約】【課題】ＥＰＧを用いることなく、携帯電話に装備されているダイヤルプッシュボタンをテレビ番組の選局に用いる構成とすることで、効率よい他チャンネルの選択と、現在の番組視聴を妨げることなく他チャンネルのテレビ番組情報を得ることを可能にするテレビ受信機一体型携帯電話装置を提供する。【解決手段】電話のダイヤルプッシュボタン１０３をテレビのリモコンのように操作することで、テレビのチャンネルの選局ボタンとして、各ボタンに各チャンネルを割り当てる。普段と異なるエリアで視聴しても、常に系列局とチャンネル番号を一致させるようにする事で、ユーザーが選局をするときに混乱するのを防ぎ、選局ボタンを色や点滅などで発光させることにより、そのチャンネルを実際に選局しなくても、現在どのような番組が放送されているのか把握することができるストレスの無い選局動作を可能とする。【選択図】  図１
2005045350.tif 000002
【特許請求の範囲】
【請求項１】
携帯電話送受信波と地上波デジタル放送波を送受信するアンテナ部と、
前記アンテナ部で受信した前記地上波デジタル放送波を受信する受信部と、
テレビ番組を表示することができるディスプレイ部と、
数値又は記号を含む番号入力することができる入力ボタンと、
テレビ番組の選局の制御を行う携帯テレビ制御部と、
携帯電話送受信するモードとテレビ番組視聴するモードを切換えるためのモード切換え制御手段と、を備え、
前記入力ボタンが、前記モード切替制御手段により、前記テレビ番組視聴するモードにある場合に、前記テレビ番組のチャンネル選局ボタンとして使用されることを特徴とする携帯電話装置。
【請求項２】
前記携帯テレビ制御部は、受信放送の系列局と該系列局に割り当てられているチャンネル番号を解析するチャンネル解析手段と、
前記入力ボタンに割り当てられている前記系列局のチャンネル番号を常に同一にするための系列局割り当て情報を記憶する設定情報記憶手段と、
前記入力ボタンが押されたとき、ボタン機能解析及びボタン機能を変更し再設定するボタン機能解析・設定手段と、
前記ボタン機能解析・設定手段及び前記チャンネル解析手段により、チャンネル割当てを行うチャンネル割当て制御手段と、を備え、
前記チャンネル割当て制御手段は、前記受信放送の系列局と前記チャンネル番号が、前記系列局割当て情報であると判定した場合、前記系列局割当て情報を前記設定情報記憶手段に記憶することを特徴とする請求項１に記載の携帯電話装置。
【請求項３】
前記チャンネル割当て制御手段は、前記受信地域の変更により今まで受信したことが無い新しい系列局の番組を受信したときに、前記新しい系列局に最初から割り当てられていたチャンネル番号が、すでに他局の選局チャンネル番号として割り当てられていると、空き番号をサーチし、現在割り当てがなされていないチャンネル番号、又は割り当てはなされているが現在受信していないチャンネル番号に割り当てることを特徴とする請求項２に記載の携帯電話装置。
【請求項４】
前記チャンネル割当て制御手段は、受信地域の変更により複数の放送エリアが重なった地域で放送を受信したときに、今まで受信していたある系列局の放送番組と、他のエリアから放送されている同じ系列局の放送番組が異なっていると、現在割り当てがなされてあるチャンネル番号に更に新しく受信した番組も割り当て、その割り当てられた入力ボタンが押されるたびに、複数の番組を交互に表示する多チャンネル割当てを行うことを特徴とする請求項２または請求項３に記載の携帯電話装置。
【請求項５】
前記携帯テレビ制御部は、さらに、前記入力ボタンのボタン点灯手段に対して、種々の制御を行うボタン点灯制御手段を備え、
前記ボタン点灯制御手段は、前記ボタン点灯手段を発光することで現在受信可能なチャンネルを視聴者に知らせるためにボタン点灯手段を制御することを特徴とする請求項２から４のいずれか１項に記載の携帯電話装置。
【請求項６】
前記ボタン点灯制御手段は、ジャンルごとに設定されている色を使って複数の色で発光する機能を具備した前記ボタン点灯手段を発光させることで、ユーザーに現在放送されているチャンネルと放送されているジャンルを視聴者に提示させるために、前記ボタン点灯手段を制御することを特徴とする請求項５に記載の携帯電話装置。
【請求項７】
前記ボタン点灯制御手段は、受信可能な番組がその放送時間に対してどのくらい経過しているか、又は指定した番組までどのくらい差し迫っているかを、前記入力ボタンの発光の明るさまたは点滅速度で表現する放送時間連動点灯制御することを特徴とする請求項５又は請求項６に記載の携帯電話装置。
【請求項８】
前記入力ボタンが、２段階押しができる入力ボタンと、前記ディスプレイの空きスペース、又は現在視聴している映像の端部に情報表示部と、を備え、
前記情報表示部は、前記入力ボタンを半押ししたときに、現在放送している番組の情報を前記ディスプレイの空きスペース、又は現在視聴している映像の端部に表示し、ユーザーに知らせ、ボタンが全押しされたらそのチャンネルを受信する裏番組確認することを特徴とする請求項１から７のいずれか１項に記載の携帯電話装置。
【発明の詳細な説明】
【０００１】
【発明の属する技術分野】
本発明は、地上波デジタル放送を受信し、テレビ番組を表示することができる携帯電話装置に関し、特に、テレビ番組視聴中のチャンネルのスムーズな選局を実現する機能を備えた携帯電話装置に関する。
【０００２】
【従来の技術】
我が国では、２０００年末からＢＳデジタル放送が開始され、また、２００３年末までに３大都市圏でのデジタル地上波放送の開始が予定されている。
【０００３】
デジタル放送は、デジタルハイビジョン映像による高画質化、多チャンネル化、及び、データ放送などによる高機能化に特色を有している。さらに、携帯電話での地上波デジタル放送のサービスも始まる予定である。これらのサービスの開始によってユーザーは、携帯電話の小さなディスプレイでもテレビ番組の視聴をすることが可能となり、更にデジタル放送による多チャンネル化が予想される。
【０００４】
また、多チャンネル化となると、ユーザーはたくさんあるテレビ番組から自分の好みのテレビ番組を探し出し選局する事をするようになり、その作業を円滑に進めるためにＥＰＧ（Ｅｌｅｃｔｒｏｎｉｃ  Ｐｒｏｇｒａｍ  Ｇｕｉｄｅ）などの番組ガイドがある。
【０００５】
ＥＰＧを使えば、ディスプレイ上に番組表を表示することで自分の好みのジャンルで調べたり、先の番組の視聴予約なども簡単な操作で行うことができる。
【０００６】
例えば、受信表示している画面の画像をできるだけ遮らないようにして、その画面上に電子番組ガイドを重畳表示する電子番組ガイド表示制御装置および方法が開示されている（特許文献１参照）。
【０００７】
また、日頃よく見るチャンネルを予めジャンル別に登録することができる選局装置が開示されている（特許文献２参照）。そして、ユーザーが所望のジャンルを指定した場合、そのジャンルに属する複数のチャンネルが、各チャンネルの縮小映像の分割画面表示あるいは各チャンネルが一覧表示されたメニュー等の形式で表示される。ユーザーは、それら分割画面やメニュー画面に基づいて番組を選択する。
【０００８】
デジタル放送では非常に多くのチャンネルで放送されるため、画面上に表示される分割画面やメニュー画面では、選局操作が煩雑になり、不便であるという問題があった。この課題を解決するため、従来、以下の様なものが提供されている。
【０００９】
例えば、文字放送によるテレビ番組情報に基づき、所望の番組ジャンルを選択することで、対応するチャンネルを選局するテレビ受信機が開示されている（特許文献３参照）。
【００１０】
【特許文献１】
特開平９−３７１７２号公報
【特許文献２】
特開平１０−１３６２７６号公報
【特許文献３】
特開平５−２８４４７６号公報
【００１１】
【発明が解決しようとする課題】
しかしながら、上記のＥＰＧは、ディスプレイ上に番組ガイドが表示されるため、携帯電話のようなディスプレイサイズが小さい場合、ガイド自体が小さくなってしまいとても見難くなり、また見やすいくらいの文字サイズを維持しようとすると、表示される情報量が減ってしまい、好みのチャンネルを表から検索しにくくなってしまう。
【００１２】
また、ＥＰＧを用いずに放送されているチャンネルを調べようとしてチャンネルを一つずつ変えながら調べると多チャンネルによりそれだけで膨大な時間がかかってしまう。
【００１３】
また、そもそもＥＰＧはディスプレイに番組ガイドを表示させるため、現在見ている番組があって、その番組の裏番組の情報などを得たいときには現在見ている番組の上に覆い被せて表示させる事になり、現在の番組視聴の妨げになってしまう。
【００１４】
また、現在見ている番組の映像サイズを小さくしてＥＰＧと並べて表示しようとする事は、携帯電話のようなサイズの小さいディスプレイでは映像やガイドがもっと見難くなってしまい意味をなさなくなってしまう可能性がある。
【００１５】
また、携帯電話は移動端末であることから、放送地域が変更となると、今まで見ていた番組が見られなくなったり、いままで設定されていた系列局が別のチャンネル番号に割り当てられたりする可能性があり、ＥＰＧなどでどこのチャンネルにどこの系列局が割り当てられているかなどをいちいち調べなければならなくなる。
【００１６】
そこで、本発明は、上記のような問題点に鑑みてなされたものであり、ＥＰＧを用いることなく、携帯電話に装備されているダイヤルプッシュボタンをテレビ番組の選局に用いる構成とすることで、効率よい他チャンネルの選択と、現在の番組視聴を妨げることなく他チャンネルのテレビ番組情報を得ることを可能にする携帯電話装置を提供することにある。さらに、放送地域が変更となった場合でも、普段使い慣れているチャンネル番号と系列局の一致がなされ、よりスムーズにチャンネルの選局を可能にする携帯電話装置を提供することにある。
【００１７】
【課題を解決するための手段】
本発明に係る携帯電話装置は、携帯電話送受信波と地上波デジタル放送波を送受信するアンテナ部と、前記アンテナ部で受信した前記地上波デジタル放送波を受信する受信部と、テレビ番組を表示することができるディスプレイ部と、数値又は記号を含む番号入力することができる入力ボタンと、テレビ番組の選局の制御を行う携帯テレビ制御部と、携帯電話送受信するモードとテレビ番組視聴するモードを切換えるためのモード切換え制御手段とを備え、前記入力ボタンが、前記モード切替制御手段により、前記テレビ番組視聴するモードにある場合に、前記テレビ番組のチャンネル選局ボタンとして使用されることを特徴とする。
【００１８】
本発明に係る携帯電話装置は、前記携帯テレビ制御部が、受信放送の系列局と該系列局に割り当てられているチャンネル番号を解析するチャンネル解析手段と、前記入力ボタンに割り当てられている前記系列局のチャンネル番号を常に同一にするための系列局割り当て情報を記憶する設定情報記憶手段と、前記入力ボタンが押されたとき、ボタン機能解析及びボタン機能を変更し再設定するボタン機能解析・設定手段と、前記ボタン機能解析・設定手段及び前記チャンネル解析手段により、チャンネル割当てを行うチャンネル割当て制御手段と、を備え、前記チャンネル割当て制御手段は、前記受信放送の系列局と前記チャンネル番号が、前記系列局割当て情報であると判定した場合、前記系列局割当て情報を前記設定情報記憶手段に記憶することを特徴とする。
【００１９】
本発明に係る携帯電話装置は、前記チャンネル割当て制御手段は、前記受信地域の変更により今まで受信したことが無い新しい系列局の番組を受信したときに、前記新しい系列局に最初から割り当てられていたチャンネル番号が、すでに他局の選局チャンネル番号として割り当てられていると、空き番号をサーチし、現在割り当てがなされていないチャンネル番号、又は割り当てはなされているが現在受信していないチャンネル番号に割り当てることを特徴とする。
【００２０】
本発明に係る携帯電話装置は、前記チャンネル割当て制御手段が、受信地域の変更により複数の放送エリアが重なった地域で放送を受信したときに、今まで受信していたある系列局の放送番組と、他のエリアから放送されている同じ系列局の放送番組が異なっていると、現在割り当てがなされてあるチャンネル番号に更に新しく受信した番組も割り当て、その割り当てられた入力ボタンが押されるたびに、複数の番組を交互に表示する多チャンネル割当てを行うことを特徴とする。
【００２１】
本発明に係る携帯電話装置は、前記携帯テレビ制御部が、さらに、前記入力ボタンのボタン点灯手段に対して、種々の制御を行うボタン点灯制御手段を備え、前記ボタン点灯制御手段は、前記ボタン点灯手段を発光することで現在受信可能なチャンネルを視聴者に知らせるためにボタン点灯手段を制御することを特徴とする。
【００２２】
本発明に係る携帯電話装置は、前記ボタン点灯制御手段が、ジャンルごとに設定されている色を使って複数の色で発光する機能を具備した前記ボタン点灯手段を発光させることで、ユーザーに現在放送されているチャンネルと放送されているジャンルを視聴者に提示させるために、前記ボタン点灯手段を制御することを特徴とする。
【００２３】
本発明に係る携帯電話装置は、前記ボタン点灯制御手段が、受信可能な番組がその放送時間に対してどのくらい経過しているか、又は指定した番組までどのくらい差し迫っているかを、前記入力ボタンの発光の明るさまたは点滅速度で表現する放送時間連動点灯制御することを特徴とする。
【００２４】
本発明に係る携帯電話装置は、前記入力ボタンが、２段階押しができる入力ボタンと、前記ディスプレイの空きスペース、又は現在視聴している映像の端部に情報表示部と、を備え、前記情報表示部が、前記入力ボタンを半押ししたときに、現在放送している番組の情報を前記ディスプレイの空きスペース、又は現在視聴している映像の端部に表示し、ユーザーに知らせ、ボタンが全押しされたらそのチャンネルを受信する裏番組確認することを特徴とする。
【００２５】
本発明は、ディスプレイが小さい携帯テレビでも見たいジャンルの番組をすばやく探し出すことができ、更に普段自分がテレビを視聴しているのとは異なる地域に移動したとしても、普段使い慣れているチャンネル番号と系列局の一致がなされ、よりスムーズにチャンネルの選局が可能となるテレビ受信機一体型携帯電話装置を提供することにより、上記のような課題を解決したものである。
【００２６】
本発明によれば、おのおののボタンにはユーザーが自由に放送系列局を割り当てる機能を持たせ、その設定情報を記憶するチャンネル設定記憶部を持つように構成している。また、選局に用いる入力ボタンの個々のボタンを多色で発光させる機能を持つことで、その番組を選局したり、わざわざＥＰＧを表示させることなくおのおのの番組のジャンルや放送経過情報などを得ることができる。
【００２７】
さらに、本発明によれば、選局に用いるダイヤルアッププッシュボタンを２段階押しタイプのボタンとすることで、現在の番組視聴を妨げることなく他のチャンネルの番組情報を得ることができる。
【００２８】
【発明の実施の形態】
以下、本発明の携帯電話のダイヤルプッシュボタンをテレビのリモコンのように操作することで、テレビ番組の選局を可能としている携帯電話装置の実施形態を、添付の図面を参照して説明する。
【００２９】
図１は、本発明に係る携帯電話装置の外観図である。
【００３０】
図２は、本発明に係る携帯電話装置の概略ブロック図である。
【００３１】
図３は、本発明に係る携帯電話装置の携帯テレビ制御部の概略ブロック図である。
【００３２】
図１に示すように、携帯電話装置１００は、本体部１０１、ディスプレイ部１０２、ダイヤルプッシュボタン１０３、アンテナ部１０４を備えている。
【００３３】
また、携帯電話装置１００は、図２に示すように、携帯電話送受信波又は地上波デジタル放送波を受信するアンテナ部１０４、携帯電話の送受信波の変復調等を行う送受信部１１１、地上波デジタル放送波の復調等を行う受信部１１０、受信部１１０からのテレビ信号（情報、映像及び音声等の信号を含む）を受けて、テレビ放送の選局制御等を行う携帯テレビ制御部１１２、上記送受信部の信号を受けて、携帯電話のダイヤル制御等を行う携帯電話制御部１１５、メールの文字等及びテレビ画像を表示するディスプレイ部１０２と、数値、記号等の情報を送るダイヤルプッシュボタン１０３、種々のカラー色で上記ボタンを点灯するボタン点灯手段（例えば、ＬＥＤ等）１１７、電話の音声又はテレビ音声を出力する音声手段１２０、電話の音声を電気信号に変換するマイク１２１、本携帯電話装置１００の全体の統括制御を行う統括制御部１１３、さらに、テレビと電話の機能をプッシュボタン１０３の操作又はタイマー等によって切換える統括制御部１１３に含まれるモード切替制御手段１１４およびモード切替制御手段１１４によって、ディスプレイ部１０２等を切換え、テレビ映像と電子メール等の電話映像とを切換える切換え手段１１６から構成される。
【００３４】
なお、上記地上波デジタル放送波の復調等を行う受信部１１０は、ここでは、地上波デジタル放送波のみを受信する受信部を示しているが、本携帯電話装置１００から情報を送信することもできる送受信部であってもよい。
【００３５】
次に、図３に示すように、地上波デジタル放送を選局するための携帯テレビ制御部１１２の構成を示す。携帯テレビ制御部１１２は、受信部１１０によって復調等がされた受信信号からチャンネル情報データ（ＳＩ情報等）等を抽出するとともに、映像／音声信号を分離しディスプレイ及び音声手段に送出するチャンネル情報抽出手段１３０と、プッシュボタンが押されたとき、ボタンの種別とその機能を解析し、その解析結果を出力するとともに、ボタンの機能を再設定するボタン機能解析・設定手段１３３と、チャンネル情報抽出手段１３０からの情報と、ボタン機能解析・設定手段の解析結果より、チャンネル番組等の割当て、設定及びチャンネル選択等の制御を行うチャンネル割当て制御手段１３２と、系列局チャンネル割当て情報を記憶する設定情報記憶手段１３４と、チャンネル割当て制御手段１３２により、読み出された設定情報記憶手段に記憶されている内容を解析し、更新等の判定を行うチャンネル解析手段１３１と、チャンネル割当て制御手段１３２の制御の下に、ボタン点灯手段に対して、放送時間の時間帯に従って、ボタンの点灯色を変化させる制御及びボタン点滅制御等を行うボタン点灯制御手段１３５で構成される。
【００３６】
（第１の実施の形態）
＜ＳＩ情報に応じたチャンネル番号割り当て機能の説明＞
携帯電話装置１００は、通常の電話機として動作するモードと、テレビ番組を視聴するモードとがある。この動作モードの切換えは、図２に示すモード切替制御手段１１４に従って、モード切替手段１１６により行われる。このモード切替により携帯電話機のデータとテレビ視聴データが切換えられる。通常の電話機として動作する状態の時には、プッシュボタン１０３は、例えば、ダイヤルボタンまたはメール作成などのボタンとして利用される。また、テレビ番組視聴モードの時にはプッシュボタン１０３は、テレビのチャンネルの選局ボタンとして、使用される。そして、おのおののボタンに各チャンネル番号が割り当てられる。
【００３７】
なお、プッシュボタン１０３は、例えば、１，２，３等の数字、＊、＃等の記号を付したボタンであってもよい。
【００３８】
図４は、チャンネル番号割り当ての動作手順を示すフローチャート図である。
【００３９】
まず、モード切替制御手段１１４は、ユーザーのプッシュボタン１０３の操作、又はタイマーの動作などにより、現在、携帯電話装置１００がテレビ視聴モードへのモード変更要求がされているかどうかを判定する（ステップＳ１１）。このとき、プッシュボタン１０３の操作である場合には、ボタン機能解析手段１３３によって、モード変更要求であるかどうかが解析され、モード変更要求である場合には、モード切替制御手段１１４にこの情報が送出される。その結果、テレビ視聴モードへ移るように要求されていたら（ステップＳ１１；ｙｅｓ）、モード切替制御手段１１４は、テレビ視聴モードへモード変更する（ステップＳ１２）。携帯電話装置１００のチャンネル割当て制御部１３２は、受信部１１０によりデジタルテレビ放送を受信しようと試み、放送が受信可能な状態にあるかどうかを判定する（ステップＳ１３）。デジタルテレビ放送が受信可能な状態にあるとき（ステップＳ１３；ｙｅｓ）、テレビ放送の受信を開始する。その後、チャンネル情報抽出手段１３０により、受信したデータに含まれるＳＩ（Ｓｅｒｖｉｃｅ  Ｉｎｆｏｒｍａｔｉｏｎ）情報を抽出・解析する。解析した結果、チャンネル割当て制御手段１３２は、チャンネル毎に設定されているチャンネル番号と携帯電話装置１００のプッシュボタン１０３の組み合わせをし、ボタン機能解析・設定手段１３３によって、プッシュボタン１０３を押したときにその番号に指定されている番組が選局されるように設定する（ステップＳ１４）。ここで、放送が受信可能な状態にないときは（ステップＳ１３；ｎｏ）、テレビ視聴モードを終了する。
【００４０】
上記プッシュボタン１０３へのチャンネルの割当ては、テレビ視聴モードへモード遷移した後に放送が受信可能かどうか調べているが、これはテレビ視聴が可能な時以外はテレビ視聴モードに移行できないような作りであっても問題ない。
【００４１】
＜系列局チャンネル割当て機能の説明＞
図５〜図９を参照して、チャンネル割当て制御手段１３２の系列局チャネル割当て機能について説明する。
【００４２】
図５は、携帯電話装置１００を持ったユーザー２０８がデジタルテレビ放送の２つのエリアを移動する様子を示す説明図である。
【００４３】
放送電波塔２０６から送出されるテレビ放送の電波の受信可能領域２０１に、携帯電話装置１００を持ったユーザー２０８がいるとする。その受信可能領域２０１に隣接する受信可能領域２０２は放送電波塔２０７から送出されるものであり、例えば県境などではこの図のように、異なる地域の放送が隣接することが考えられる。
【００４４】
このように２つ以上の地域の受信可能領域が重なると、１つの地域の放送電波塔からの電波だけしか受信できない地域と、複数の地域の放送電波が重なっている地域が存在し、図５の場合、放送電波塔２０６から送出される電波だけを受信することができるエリア２０３と、放送電波塔２０７から送出される電波だけを受信することができるエリア２０５と、放送電波塔２０６と放送電波塔２０７の両方から送出される電波を受信できるエリア２０４ができる。
【００４５】
図６は、図５における受信可能領域２０１と２０２のそれぞれのエリアで受信可能なテレビ番組のリストを示す表である。
【００４６】
受信可能領域２０１で受信可能なテレビ放送の番組は、番組リスト２１１で示される内容であるとする。一方、受信可能領域２０２で受信可能なテレビ放送の番組は、番組リスト２１２で示される内容であるとする。
【００４７】
つまり、エリア２０３内にいるユーザーは、番組リスト２１１に示されるテレビ番組を受信することができ、エリア２０５内にいるユーザーは番組リスト２１２に示されるテレビ番組を受信することができ、エリア２０４内にいるユーザーは、番組リスト２１１と番組リスト２１２の両方に示されるテレビ番組を受信することができることになる。
【００４８】
図７は、ユーザー２０８が携帯電話装置１００にあらかじめ設定してある系列局チャンネル割当て情報２２１を示す表である。
【００４９】
系列局チャンネル割当て情報２２１は、放送されるテレビ番組のチャンネル情報とは別に持っている情報である。例えば、割当て情報２２１により、放送局「ＭＨＫ１」はチャンネルの１番、「日木テレビ」はチャンネルの４番等と対応付けられる。系列局チャンネル割り当て情報２２１は、チャンネル割当て制御手段１３２によって設定情報記憶手段１３４に記憶される。
【００５０】
図５における普段エリア２０３にいるユーザーは、通常、受信できている放送の系列局及び割り当てられているチャンネル番号に慣れているため、エリア２０３での受信状態におけるチャネル割当て番号は、系列局チャンネル割当て情報２２１として設定情報記憶手段１３４に設定されている。
【００５１】
次に、具体的に、系列局チャンネル割当て動作について説明する。
【００５２】
図８は、図５における受信可能領域２０２のエリアで受信可能なテレビ番組を新しく番号が割り当てられた状況を示す表である。
【００５３】
系列局割当て情報２２１が設定情報記憶手段１３４に設定されている場合、番組情報２１２の「ＭＨＫ１」は、チャンネル割当て情報２２１によりプッシュボタンの「１」に割当て、同様に「ＭＨＫ２」は「３」、「日木テレビ」は「４」、「ＴＤＳ」は「６」、「ブジテレビ」は「８」に割り当てる。ユーザーは、普段「１」番を押すことで「ＭＨＫ１」を受信するということに慣れているため、普段のエリア２０３とは違うエリア２０５でテレビ番組を受信しても、チャンネル選局で混乱することなく、普段と同じプッシュボタン１０３の選局動作でいつも見慣れている系列局の番組を受信できるようになる。
【００５４】
一方、系列局割当て情報２２１が設定情報記憶手段１３４に設定されていないときには、チャンネル解析手段１３１は、チャンネル割当て制御手段１３２からの情報により、受信放送の系列局及びその系列局に割り当てられているチャンネル番号を解析する。その解析結果をチャンネル割当て制御手段１３２に戻し、その結果をボタン機能解析・設定手段１３３に知らせる。ボタン機能解析・設定手段１３３は、プッシュボタンの設定をテレビ番組リスト２１２となるようにする。そして、系列局チャンネル割当て手段１３２によって、系列局割当て情報２２１がテレビ番組リスト２１２になるように設定情報記憶手段１３４に設定する。このように、プッシュボタン１０３の「２」ボタンを押すと「ＭＨＫ１」の放送をチューニングし、「おはようジャポン」を視聴できるようになる。同様に「５」ボタンを押すと「ＭＨＫ２」、「７」ボタンを押すと「日木テレビ」、「９」ボタンを押すと「ＴＤＳ」というようになる。ここで、「１２」チャンネルは「ブジテレビ」を選局できるようになっているが、「１２」チャンネルをどのボタンに割り当てるかはここでは言及しないが、例えば、「＊」、「０」、「＃」ボタンをそれぞれ「１０」、「１１」、「１２」ボタンとして割り当てても良いし、複数桁入力できる状態にして「１」「２」と連続で押すようにしてもよい。
【００５５】
図９は、系列局チャンネル割当て手段の動作手順を示すフローチャート図である。
【００５６】
まず、ユーザー２０８が、エリア２０５に移動すると、モード切替制御手段１１４は、テレビ番組が受信開始されたか又は受信放送エリアが変更されたかを判定する（ステップＳ２１）。受信開始された場合又はエリアの変更があった場合、番組リスト２１２に示されるようなチャンネル番号でテレビ番組を受信する（ステップＳ２１；ｙｅｓ）。そのとき、チャンネル割当て制御手段１３２は、系列局チャンネル割当て情報２２１に情報が設定されているかどうかを設定情報記憶手段１３４の内容を読み出し、チェックし（ステップＳ２２）、設定されていれば、系列局割り当て情報を考慮してチャンネル番号の割当てを行い（ステップＳ２３）、設定されていない場合、受信した放送データに示されている番組の情報２１２に従って、チャンネル番号を割り当てる。即ち、放送エリアで最初から設定されているチャンネル番号を割り当てる（ステップＳ２４）。このように、ボタン機能解析・設定手段１３３によって、最終的にチャンネル番号がボタン番号に割り当てられることになる。
【００５７】
前述したように、系列局チャンネル割当て情報２２１で設定されていない新しい系列局のチャンネルを受信したときに、その新しい系列局に設定されているチャンネル番号と系列局チャンネル割当て情報２２１で設定しているチャンネル番号が重なってしまう可能性がある。この問題を解決するための空き番号サーチ割当て機能について、以下に説明する。
【００５８】
＜空き番号サーチ割当て機能の説明＞
図１０〜図１２を参照して、チャンネル割当て制御手段１３２の空き番号サーチ割当て機能について説明する。
【００５９】
チャンネル割当て制御手段の空き番号サーチ割当て機能は、チャンネル割当て機能によって割り当てられたチャンネル番号と、新しく受信した他の系列のチャンネル番号が一致しているときに、割り当てられていない番号を検索し、そのチャンネルを割り当てることができる。
【００６０】
下記に、空き番号サーチ割当て機能の具体的動作について説明する。
【００６１】
図１０は、携帯電話装置１００が受信できるチャンネルリストを示す図である。
【００６２】
図１１は、割り当てられたチャンネル番号と、新しく受信した他の系列のチャンネル番号が一致しているときに、新しく番号が割り当てられた状況を示す表である。
【００６３】
今、エリア２０３にいるユーザー２０８が、図１０に示すチャンネルリスト３０１の番組を携帯電話装置１００で受信しているとする。また、この携帯電話装置１００には、系列局チャンネル割当て情報２２１が設定されているとする。さらに、エリア２０５ではチャンネルリスト３０２の番組を放送しているとする。
【００６４】
例えば、番組リスト３０２の「テレビ夕日」と系列局割当て情報２２１の「ブジテレビ」が同じチャンネル番号「８」で重なっているため、「テレビ夕日」を空いている番号に振り分ける。この時、「ブジテレビ」はすでに系列局割当て情報２２１に設定されている系列局のため、「テレビ夕日」を「８」チャンネルに割当て、「ブジテレビ」を空きチャンネルに割り当てることは、「８」番が「ブジテレビ」系列ということに慣れているユーザーにとって混乱となるのでそのような振り分けは行わない。また、番組リスト３０２には「ＴＤＳ」が無いためチャンネル番号「６」も空き番号ということになり「テレビ夕日」を「６」番に割り当てることも可能となるが、「６」番が「ＴＤＳ」系列ということに慣れているユーザーにとって混乱となるので「テレビ夕日」を「６」番に割り当てるというような振り分けは行わない。上述した動作に基づいて、「テレビ夕日」は例えば「１０」番に割り当てられ図１１の番組リスト３１１のように最終的に振り分けられる。
【００６５】
上述した例では、エリア２０３にいるユーザー２０８がエリア２０５で受信したときについての説明であるが、エリア２０３にいるユーザー２０８がエリア２０４で番組を受信したときは、図１１の番組リスト３１２のように振り分けられる。
【００６６】
このとき、「ＴＤＳ」は放送電波塔２０６から、そして「テレビ夕日」は放送電波塔２０７から送出される電波をそれぞれ受信することになるが、それ以外の「ＭＨＫ１」、「ＭＨＫ２」、「日木テレビ」、「ブジテレビ」はそれぞれのエリアで同じ番組を放送している場合、どちらの放送電波を受信しても同じ番組を得ることができる。このとき、図５のユーザー２０８が矢印方向に移動していることを携帯電話装置１００が電話の基地局との通信やＧＰＳなどにより認識できれば、放送電波塔２０７から優先して受信するようにしても良いし、または番組の切り替わりタイミングでチャンネル毎に個別に切り替えても良い。チャンネル別に番組の切り替わりタイミングで受信電波を変更すると視聴中の番組の場合、ユーザー（視聴者）２０８にとって不快感を与えることなく切り替えることができる。また、視聴中でない番組に関しては番組の切り替わりタイミングでなくても差し支えない。
【００６７】
図１２は、空き番号サーチ割当て動作手順を示すフローチャート図である。
【００６８】
まず、モード切替制御手段１１４は、ユーザー２０８がエリア２０５でテレビ放送を受信したかどうかを判定する（ステップＳ３１）。ユーザー２０８がエリア２０５でテレビ放送を受信した場合（ステップＳ３１；ｙｅｓ）、系列局チャンネル割当て情報２２１が設定されているかをチェックする（ステップＳ３２）。系列局割当て情報２２１に設定が無い場合は（ステップＳ３２；ｎｏ）、チャンネル情報３０２にあるとおりのチャンネル番号で各チャンネルをプッシュボタン１０３に割り当てる（ステップＳ３５）。系列局割当て情報２２１に設定がある場合（ステップＳ３２；ｙｅｓ）、その設定情報２２１に設定されていない系列の番組を現在受信しているかどうかをチェックする（ステップＳ３３）。設定情報２２１に設定されていない系列の番組を受信していない場合は（ステップＳ３３；ｎｏ）、設定情報２２１に従って各系列の番組のチャンネル番号を振り分ける（ステップＳ３６）。設定情報２２１に設定されていない系列の番組を受信した場合（ステップＳ３３；ｙｅｓ）、その系列のチャンネルが当初割り当てられているチャンネル番号をチェックする（ステップＳ３４）。チェックしたチャンネル番号が系列局割当て情報２２１で設定した番号と重なっていない時は（ステップＳ３４；ｎｏ）、そのチャンネルを当初割り当てられているチャンネル番号に割り当てる（ステップＳ３６）。
【００６９】
番号が重なっている時には（ステップＳ３４；ｙｅｓ）、番号が割り当てられていないチャンネル番号を検索して、その番号にそのチャンネルを割り当てる（ステップＳ３７）。
【００７０】
上述したように、複数の放送エリアにおいて同じ系列のチャンネルでも、そのエリアによって違う番組を放送しているときに、それらの番組を同時に受信すると、どちらのエリアの放送を割り当てるかという問題が生じる可能性がある。
【００７１】
ユーザーにとってはどちらも同じ系列の放送局の番組なので、その片方の番組を空き番号に割り当てると、ユーザーはその空き番号に割り当てられた番組がどこの系列局の番組かを確かめるのに番組を見るか、その番組情報を見て調べることになり、混乱を引き起こしてしまう可能性がある。この問題を解決するための多チャンネル割当て機能について、以下に説明する。
【００７２】
＜多チャンネル割当て機能の説明＞
図１３〜図１５を参照して、チャンネル割当て制御手段１３２の多チャネル割当て動作について説明する。
【００７３】
図１３は、本発明に係る携帯電話装置１００におけるチャンネルリストを示す図である。
【００７４】
図１４は、番組内容が同じである場合、片一方の放送だけを選択しチャンネル番号に振り分けられた様子を示す図である。
【００７５】
チャンネル割当て制御手段１３２は、複数のエリアの放送電波を同時に受信し、さらにそれぞれのエリアから送出される放送が同じ系列で異なる番組を放送していた場合に、系列局チャンネル割当て情報２２１に従って、同じチャンネル番号に振り分けて、プッシュボタン１０３を押すたびに同じ番号に割り当てられた、異なる番組を切替る複数の番組を交互に表示することができる多チャンネル割当て機能を有する。
【００７６】
今、エリア２０３にいるユーザー２０８が、図１３に示すチャンネルリスト４０１の番組を携帯電話装置１００で受信しているとする。また、この携帯電話装置１００には、系列局チャンネル割当て情報２２１が設定されており、チャンネルリスト４０１のチャンネル番号は、系列局チャンネル割当て情報２２１によって設定されたものであるとする。また、エリア２０５ではチャンネルリスト４０２の番組を放送しているとする。
【００７７】
ここで、チャンネルリスト４０１，４０２に示すように、「日木テレビ」と「ブジテレビ」の番組が放送エリアによって異なっており、それぞれ「４」番と「８」番に振り分けられていることを示している。このように、振り分けられているとき、ユーザー２０８は、「４」のボタンを押すと、押すたびに「サッカー」と「中学教師」が交互に切り替わって受信され、同様に「８」のボタンを押すと、押すたびに「ミュージックジャンプ」と「トラえもん」が交互に切り替わって受信されるように動作する。
【００７８】
図１５は、本発明に係る選局制御手段の多チャンネル割当て動作手順を示すフローチャート図である。
【００７９】
先ず、モード切替制御手段１１４は、ユーザー２０８が、エリア２０４でテレビ放送を受信し、放送エリアが重複しているかをチェックする（ステップＳ４１）。放送エリアが重複している場合（ステップＳ４１；ｙｅｓ）、系列局チャンネル割当て情報２２１が設定されているかをチェックする（ステップＳ４２）。系列局割当て情報２２１に設定が無い場合は（ステップＳ４２；ｎｏ）、チャンネル情報４０２にあるとおりのチャンネル番号で各チャンネルをプッシュボタン１０３に割り当てる（ステップＳ４５）。系列局割当て情報２２１に設定がある場合（ステップＳ４２；ｙｅｓ）、それぞれのエリアからの同一系列局の放送を受信しているかチェックする（ステップＳ４３）。同一系列局の放送を同時に受信していないときには（ステップＳ４２；ｎｏ）、系列局割当て情報２２１に従って各プッシュボタンにチャンネルを振り分ける（ステップＳ４６）。同一系列局の放送を同時に受信している場合には、それらの放送の番組が同じ番組かどうかチェックする（ステップＳ４４）。
【００８０】
それらの番組が同じ内容の場合（ステップＳ４４；ｎｏ）、系列局割当て情報２２１に従って、各プッシュボタンにチャンネルを振り分ける（ステップＳ４６）。同時に受信した同じ系列の放送番組が異なる場合（ステップＳ４４；ｙｅｓ）、系列局割当て情報２２１に従って、同じチャンネル番号にそれらの異なる番組を振り分ける（ステップＳ４７）。ここで、ステップＳ４６とステップＳ４７は、番組の振り分け方法は同じであるが、複数のチャンネルを同じ番号に振り分けるか、番組内容が同じであることから片一方の放送だけを選択しチャンネル番号に振り分けるかという部分が異なる。
【００８１】
次に、複数のテレビ放送のエリアが重複している状況でも普段ユーザーが慣れている系列局とそのチャンネル番号を調整することで、ユーザーにとってより選局しやすいものとなっているが、いくら使い慣れたボタンにチャンネルが割り振られていても、ある地域でその系列の放送自体が行われているかどうかは、実際に選局するか、ＥＰＧなどで確認することになり、携帯電話装置１００の小さな画面では確認が困難であり、選局動作もわずらわしさを感じる。この問題を解決するための受信可能チャンネルボタン点灯機能について、以下に説明する。
【００８２】
＜受信可能チャンネルボタン点灯機能の説明＞
図１６〜図１８を参照して、ボタン点灯制御手段１３５の受信可能チャンネルボタン点灯機能について説明する。
【００８３】
ボタン点灯制御手段１３５の受信可能チャンネルボタン点灯機能は、受信可能なチャンネルのプッシュボタン１０３を点灯させることで、ユーザーに視聴可能チャンネルを容易に知らせることができる。
【００８４】
図１６は、受信可能な状態にある番組表を示す図である。
【００８５】
図１７は、視聴可能なチャンネルのプッシュボタンを点灯させた状態を示すプッシュボタンの拡大図である。
【００８６】
図１８は、受信可能チャンネルボタン点灯機能動作手順を示すフローチャート図である。
【００８７】
まず、モード切替制御手段１１４は、携帯電話装置１００が、テレビ視聴モードに移行したかどうかを判定する（ステップＳ５１）。テレビ視聴モードに移行した場合（ステップＳ５１；ｙｅｓ）、図１６の番組表５０１にある番組が受信可能な状態にあるかどうか判定する（ステップＳ５２）。受信可能な状態にある場合に（ステップＳ５２；ｙｅｓ）、図１７に示すプッシュボタン５１１の内、視聴可能なチャンネルのプッシュボタンを点灯する（ステップＳ５３）。このようにすると、ユーザーが仮に「ＭＨＫ１」の「おはようジャポン」を視聴しているときに、視聴可能なチャンネルのプッシュボタンを点灯させ、他のチャンネルはどこのチャンネルが視聴可能なのか調べたいときに、プッシュボタン１０３を見ただけで「１」チャンネル以外に「３」、「４」、「６」、「８」が視聴可能であるとすぐに知ることができる。また、前記の系列局チャンネル割当て情報２２１の設定をしておけば、見知らぬ地域でテレビ放送を受信したとしても、プッシュボタンを見るだけでこの場所では、「ＭＨＫ１」は視聴可能であるとか「ブジテレビ」は視聴できない、などとすぐにわかることができる。
【００８８】
携帯電話は、暗いところなどでも操作がしやすいように操作中はプッシュボタンが点灯するものがある。このような状態でも発光色を変えたり、発光強度を変えたり、点灯と点滅で区別したりすれば、視聴可能チャンネルの確認は可能である。
【００８９】
次に、視聴可能チャンネルがわかっても、どのような番組が放送されているかという事まではわからない可能性がある。この問題を解決するための受信可能チャンネルボタンジャンル別点灯機能について、以下に説明する。
【００９０】
＜受信可能チャンネルボタンジャンル別点灯機能の説明＞
図１９〜図２２を参照して、ボタン点灯制御手段１３５の受信可能チャンネルボタンジャンル別点灯機能について説明する。
【００９１】
図１９は、現在放送されている番組ごとにジャンルが設定されている番組表を示す図である。
【００９２】
図２０は、ジャンルと発光させるボタンの色との対応を示す図である。
【００９３】
図２１は、番組のジャンルごとに発光色を設定できるプッシュボタンを示す図である。
【００９４】
本実施形態に係る携帯電話装置１００のボタン点灯制御手段１３５は、番組のジャンルごとに発光色を設定しておき、受信可能なチャンネルのプッシュボタン１０３を現在放送中の番組のジャンル別設定色で発光させることで、受信可能チャンネルボタンジャンルを識別することができる受信可能チャンネルボタンジャンル別点灯機能を有する。
【００９５】
図２２は、受信可能チャンネルボタンジャンル別点灯機能動作手順を示すフローチャート図である。
【００９６】
モード切替制御手段１１４は、テレビ視聴モードに移行したかどうかを判定する（ステップＳ６１）。テレビ視聴モードに移行した場合（ステップＳ６１；ｙｅｓ）、設定された番組が受信可能な状態にあるかどうかを判定する（ステップＳ６２）。
【００９７】
ここで、例えば、図１９の番組表６０１に示すように、現在放送されている番組ごとにジャンルが設定されているとする。図２０の対応表６１１は、一例であり他の組み合わせであってもかまわない。
【００９８】
番組リスト６０１の番組を受信すると（ステップＳ６２；ｙｅｓ）、チャンネル「１」番はジャンルが「ニュース」であることがわかる。次に、対応表６１１から「ニュース」ジャンルの設定色は「赤」であることがわかる。従って、図２１に示すプッシュボタン６２１の「１」番ボタン６２２を赤く発光させる。同様にして、「３」番ボタン６２３を紫色に、「４」番ボタン６２４を黄色に、「６」番ボタン６２５を橙色に、「８」番ボタン６２６を青色にそれぞれ発光させる（ステップＳ６３）。「７」番ボタン６２７は割り当てられているチャンネルが無いため、点灯していない。
【００９９】
このようにすると、ユーザーが携帯電話装置１００をテレビ視聴モードにしたときにすぐにスポーツが見たいという状況のときに、プッシュボタン５１１を見て、青色に点灯しているボタンを探すだけでスポーツ番組が放送中かどうかすぐに判断できて便利である。特に野球など、どこのチャンネルでも放送する可能性があるような番組の時には、視聴可能チャンネルを全て調べなくても野球放送チャンネルを容易に選局することが可能となる。
【０１００】
また、例えば、ある番組を視聴していて他のチャンネルでそろそろ始まる映画を視聴したいというときに、そろそろ始まるかと２つのチャンネルを行き来して番組が始まるのを待たなくとも、視聴したいチャンネルのボタンの色が例えば赤色から緑色に変化したのを確認してそのチャンネルを選局すれば、映画の最初をつい見逃すというようなことを避けることができる。
【０１０１】
ここで、同じジャンルの番組があるチャンネルで続いて放送されている場合、点灯ボタンをチェックしているだけではその番組の切り替わりがわからず、結局そのチャンネルを選局するか、放送時間をチェックし現在の時間を確認して放送が切り替わる時間かどうか判断が必要となる。
【０１０２】
この問題を解決するためのボタン点灯制御手段１３５の放送時間連動点灯ボタン機能について、以下に説明する。
【０１０３】
＜放送時間連動点灯ボタン機能の説明＞
図２３〜図２６を参照して、ボタン点灯制御手段１３５の放送時間連動点灯ボタン機能について説明する。
【０１０４】
本実施形態における携帯電話装置１００では、放送している番組の放送時間の経過と連動して発光する明るさが変化する機能を持つプッシュボタン１０３を具備している。
【０１０５】
図２３は、時間の経過と点灯ボタンの明るさの関係を示す説明図である。
【０１０６】
図２４は、現在受信している放送されている番組ごとの放送時間を示す図である。
【０１０７】
図２５は、時間経過に対応して発光させるボタンの明るさが変化するプッシュボタンを示す図である。
【０１０８】
０：００に始まり１：００に次の番組が始まる番組があった場合に、例えば、ボタンの明るさが３段階のとき、０：００〜０：２０は１番明るくボタンが発光し（７０１）、０：２０〜０：４０は２番目の明るさでボタンが発光し（７０２）、０：４０〜１：００までは３番目の明るさ（１番暗く）でボタンが発光（７０３）する。その後、次の番組が始まると、再び１番明るく発光する（７０４）様子をあらわしている。
【０１０９】
図２６は、ボタン点灯制御手段１３５の放送時間連動点灯ボタン機能の動作手順を示すフローチャート図である。
【０１１０】
例えば、今、図２４の表７１１にあるような番組を受信しており、おのおのの番組の放送時間が、図２４に示す表７１１の放送時間に記述されている通りであったとする。
【０１１１】
まず、モード切替制御手段１１４は、テレビ受信モードに移行したかどうかを判断する（ステップＳ７１）。テレビ受信モードに移行した場合（ステップＳ７１；ｙｅｓ）、受信チャンネルがあるかどうかを判断する（ステップＳ７２）。受信チャンネルがあった場合（ステップＳ７２；ｙｅｓ）、受信した番組の放送時間と現在の時刻を比較して経過時間を調べボタンの点灯照度を決定し、点灯する（ステップＳ７２）。例えば、現在時刻が７：３１であった場合、図２５にあるように、まず、プッシュボタン７２１のうち「１」、「３」、「４」、「６」、「８」の各ボタンが選局可能である事から点灯する事になる。現在時刻から各チャンネルの番組の経過時間がわかるため、「ＭＨＫ１」の「おはようジャポン」は、番組が始まってから３分の１以上、３分の２未満経過している。それゆえ、「１」番ボタン７２２は、２番目の明るさで点灯する。
【０１１２】
同様に、「ＭＨＫ２」の「とっさに一言」を表す「３」番ボタン７２３は、２番目の明るさ、「日木テレビ」の「サッカー」を表す「４」番ボタン７２４は、３番目の明るさ、「ＴＤＳ」の「お笑い大爆笑」を表す「６」番ボタン７２５は、２番目の明るさ、そして「ブジテレビ」の「ミュージックジャンプ」を表す「８」番ボタンは、１番明るく点灯することになる。
【０１１３】
時間は刻々と過ぎていくのでテレビ受信状態が続いていれば、再びボタンの発光の更新をするために放送時間と現在時刻の比較を開始するルーチンに戻る（ステップＳ７４）。
【０１１４】
以上、上述したように点灯の明るさで時間の経過を示すことに限定するものではなく、プッシュボタンの点滅の速度によって時間の経過を表現してもよい。
【０１１５】
更に、放送時間を３段階で表現したが、この段階は３段階に限定するものではなく、表現可能なあらゆるパターンの数に分割することも可能である。
【０１１６】
更に前記のように放送の全ての時間で時間経過を表現するようにしたが、これは例えば放送終了３分前だけ点滅などとすると、視聴予約をしていた場合にその予約番組が始まる数分前になったらそのチャンネルのボタンが点滅するというようにして予約時間の到来をお知らせしたりすることも可能となる。
【０１１７】
（第２の実施の形態）
＜裏番組確認機能の説明＞
上記第１の実施形態に係る携帯電話装置１００では、ジャンルや経過時間だけではなく、ある番組視聴中に他のチャンネルで何の番組をやっているのか、具体的に知りたいときには、ＥＰＧを携帯テレビの小さな画面に出したり、直接他のチャンネルを選局したりする必要があり、現在の番組視聴の妨げとなる恐れがある。上記問題を解決するための２段階押しボタンによる裏番組確認機能について、以下に説明する。
【０１１８】
図２７〜図２９を参照して、本発明の第２の実施形態に係る携帯電話装置１００について説明する。
【０１１９】
本実施形態における携帯電話装置８００では、ダイヤルプッシュボタン８０３のそれぞれのボタンを２段階押しできるボタンにする事で現在のテレビの視聴を妨げることなく他のチャンネルの番組内容を提示することができる裏番組確認機能を有する。
【０１２０】
図２７は、本発明の第２の実施形態に係る携帯電話装置８００を示す外観図である。
【０１２１】
図２８は、本発明の第２の実施形態に係る携帯電話装置８００の動作を説明するための番組リストを示す図である。
【０１２２】
携帯電話装置８００は、本体部８０１、ディスプレイ部８０２、２段階プッシュボタン部８０３、情報表示部８０４を備えている。今、携帯電話装置８００が、図２８の番組リスト８１１に示される番組が放送されているエリアにいるとする。番組リスト８１１に示されている個々の番組が２段階プッシュボタン８０３の設定されているチャンネル番号に振り分けられ、「１」番ボタンは「ＭＨＫ１」、「３」番ボタンは「ＭＨＫ２」、「４」番ボタンは「日木テレビ」、「６」番ボタンは「ＴＤＳ」、「８」番ボタンは「ブジテレビ」がそれぞれ割り当てられているものとする。
【０１２３】
ここで、２段階プッシュボタンは、少し押し込む１段階目（半押し状態）と更に押し込む２段階目（全押し状態）の状態がある。
【０１２４】
図２９は、本発明の第２の実施形態に係るチャンネル割当て制御手段１３２の裏番組確認機能動作手順を示すフローチャート図である。
今仮に、ユーザーが「６」チャンネルの「お笑い大爆笑」を視聴しているとする。ディスプレイ部８０２には「お笑い大爆笑」の映像が映し出されている。この状態で、チャンネル割当て制御手段１３２は、受信可能なチャンネルのボタンが半押しされたかどうかを判定する（ステップＳ８１）。半押ししたと判定されると（ステップＳ８２；ｙｅｓ）、受信できるチャンネルの情報を表示する（ステップＳ８２）。例えば、「８」番のボタンを半押しすると、情報表示部８０４には、「８」チャンネルで放送されている「ミュージックジャンプ」の番組タイトルや、放送時間、出演者などの放送中の番組情報やその番組に対するユーザーの予約情報、その番組の提供やＣＭなどの番組に関連する情報などが表示される。チャンネル割当て制御手段１３２は、チャンネル情報抽出手段１３０からの情報をボタン機能解析・設定手段１３３の判断情報に従って、情報表示部８０４に転送する。この表示方法は、スクロールして表示されても良いし、一定の時間で表示を切替えて情報を表示しても良い。また、アイコンなどでお知らせできる情報はアイコン表示でも良い。更に、情報提供部８０４は、ディスプレイ部と独立していても良いし、ディスプレイ部の下方や上方に配置されても良いし、視聴中の番組領域の端部領域にスクロールで表示してもかまわない。
【０１２５】
次に、受信可能なチャンネルのボタンが全押しされたかどうかを判定する（ステップＳ８４）。全押しされた場合（ステップＳ８４；ｙｅｓ）、押されたチャンネルを選局する（ステップＳ８４）。
【０１２６】
例えば、「８」番ボタンを全押しすると、そのチャンネルを選局しディスプレイ部８０２にその番組を提示する。
【０１２７】
【発明の効果】
以上説明したように本発明によれば、テレビ受信機一体型携帯電話装置において、ディスプレイが小さい携帯テレビでも見たいジャンルの番組をすばやく探し出すことができ、更に普段自分がテレビを視聴しているのとは異なる地域に移動したとしても、普段使い慣れているチャンネル番号と系列局の一致がなされ、よりスムーズにチャンネルの選局が可能となる。
【図面の簡単な説明】
【図１】本発明の第１の実施形態に係る携帯テレビの外観図である。
【図２】本発明に係る携帯テレビの概略ブロック図である。
【図３】本発明に係る携帯テレビの携帯テレビ制御部の概略ブロック図である。
【図４】チャンネル番号割り当て手段の動作手順を示すフローチャート図である。
【図５】携帯電話装置１００を持ったユーザー２０８がデジタルテレビ放送の２つのエリアを移動する様子を示す説明図である。
【図６】図３における受信可能領域２０１と２０２のそれぞれのエリアで受信可能なテレビ番組を示すリストである。
【図７】ユーザー２０８が携帯電話装置１００にあらかじめ設定してある系列局チャンネル割当て情報２２１を示すリストである。
【図８】図３における受信可能領域２０２のエリアで受信可能なテレビ番組を新しく番号が割り当てられた状況を示す表である。
【図９】系列局チャンネル割当て手段の動作手順を示すフローチャート図である。
【図１０】本発明に係る携帯電話装置１００におけるチャンネルリストを示す表である。
【図１１】割り当てられたチャンネル番号と、新しく受信した他の系列のチャンネル番号が一致しているときに、新しく番号が割り当てられた状況を示す図ある。
【図１２】空き番号サーチ割当て手段の動作手順を示すフローチャート図である。
【図１３】チャンネルリストを示す図である。
【図１４】番組内容が同じである場合、片一方の放送だけを選択しチャンネル番号に振り分けられた様子を示す図である。
【図１５】多チャンネル割当て手段の動作手順を示すフローチャート図である。
【図１６】受信可能な状態にある番組表を示す図である。
【図１７】視聴可能なチャンネルのプッシュボタンを点灯させた状態を示すプッシュボタンの拡大図である。
【図１８】受信可能チャンネルボタン点灯手段の動作手順を示すフローチャート図である。
【図１９】現在放送されている番組ごとにジャンルが設定されている番組表を示す図である。
【図２０】ジャンルと発光させるボタンの色との対応を示す図である。
【図２１】番組のジャンルごとに発光色を設定できるプッシュボタンを示す図である。
【図２２】受信可能チャンネルボタンジャンル別点灯手段の動作手順を示すフローチャート図である。
【図２３】時間の経過と点灯ボタンの明るさの関係を示す説明図である。
【図２４】現在受信している放送されている番組ごとの放送時間を示す図である。
【図２５】時間経過に対応して発光させるボタンの明るさが変化するプッシュボタンを示す図である。
【図２６】放送時間連動点灯ボタン手段の動作手順を示すフローチャート図である。
【図２７】本発明の第２の実施形態に係る携帯テレビを示す外観図である。
【図２８】本発明の第２の実施形態に係る携帯テレビの動作を説明するための番組リストを示す表である。
【図２９】裏番組確認機能動作手順を示すフローチャート図である。
【符号の説明】
１００    携帯電話装置
１０１    本体部
１０２    ディスプレイ部
１０３    プッシュボタン
１０４    アンテナ部
１１０    受信部
１１１    送受信部
１１２    携帯テレビ制御部
１１３    統括制御部
１１４    モード切替制御手段
１１５    携帯電話制御部
１１６    切換え手段
１１７    ボタン点灯手段
１２０    音声手段
１２１    マイク
１３０    チャンネル情報抽出手段
１３１    チャンネル解析手段
１３２    系列局チャンネル割当て手段
１３３    ボタン機能解析・設定手段
１３４    設定情報記憶手段
１３５    ボタン点灯制御手段
２０１    受信可能領域
２０２    受信可能領域
２０３    エリア
２０４    エリア
２０５    エリア
２０６    放送電波塔
２０７    放送電波塔
２０８    ユーザー
２１１    番組リスト
２１２    番組リスト
２２１    系列局チャンネル割り当て情報
２３１    チャンネル番号割り当て結果
３０１    番組リスト
３０２    番組リスト
３１１    チャンネル番号割り当て結果
３１２    チャンネル番号割り当て結果
４０１    番組リスト
４０２    番組リスト
４１１    チャンネル番号割り当て結果
５０１    番組リスト
５１１    プッシュボタン
６０１    番組リスト
６１１    ジャンルと発光させるボタンの色との対応
６２１    プッシュボタン全体
６２２    プッシュボタン
６２３    プッシュボタン
６２４    プッシュボタン
６２５    プッシュボタン
６２６    プッシュボタン
６２７    プッシュボタン
７０１    １番明るい状態のプッシュボタン
７０２    ２番目に明るい状態のプッシュボタン
７０３    ３番目に明るい状態のプッシュボタン
７０４    １番明るい状態のプッシュボタン
７１１    番組リスト
７２１    プッシュボタン全体
７２２    プッシュボタン
７２３    プッシュボタン
７２４    プッシュボタン
７２５    プッシュボタン
７２６    プッシュボタン
７２７    プッシュボタン
８００    携帯電話装置
８０１    本体部
８０２    ディスプレイ部
８０３    ２段階プッシュボタン
８０４    情報表示部
８１１    番組リスト
【図１】
2005045350.tif 000003
【図２】
2005045350.tif 000004
【図３】
2005045350.tif 000005
【図４】
2005045350.tif 000006
【図５】
2005045350.tif 000007
【図６】
2005045350.tif 000008
【図７】
2005045350.tif 000009
【図８】
2005045350.tif 000010
【図９】
2005045350.tif 000011
【図１０】
2005045350.tif 000012
【図１１】
2005045350.tif 000013
【図１２】
2005045350.tif 000014
【図１３】
2005045350.tif 000015
【図１４】
2005045350.tif 000016
【図１５】
2005045350.tif 000017
【図１６】
2005045350.tif 000018
【図１７】
2005045350.tif 000019
【図１８】
2005045350.tif 000020
【図１９】
2005045350.tif 000021
【図２０】
2005045350.tif 000022
【図２１】
2005045350.tif 000023
【図２２】
2005045350.tif 000024
【図２３】
2005045350.tif 000025
【図２４】
2005045350.tif 000026
【図２５】
2005045350.tif 000027
【図２６】
2005045350.tif 000028
【図２７】
2005045350.tif 000029
【図２８】
2005045350.tif 000030
【図２９】
2005045350.tif 000031